(57)【要約】  装置はディスプレイとプロセッサとを備える。該プロセッサは、該装置と遠隔の装置との間における通信リンクを介して受信された信号に基づいて、該遠隔の装置の遠隔の入力面における１または複数のタッチ動作による第１の設定を取得し、前記信号を介して１または複数のタッチ動作による前記第１の設定に関連付けられた情報を受信し、前記ディスプレイにおける入力操作を検出し、前記情報が、前記入力操作に基づいてコンテンツを取得するのに利用される情報か否かを判定する。
2010525441.tif 000002
【特許請求の範囲】
【請求項１】
グラフィック・オブジェクトに対する１または複数のタッチ動作による第１の設定を検出する工程と、
タッチスクリーンを含む装置に対して、前記グラフィック・オブジェクトに関連付けられた情報を送信する工程と、
前記装置にて前記情報を受信する工程と、
前記タッチスクリーンにおける１または複数のタッチ動作による第２の設定を受け付ける工程と、
前記１または複数のタッチ動作による第２の設定を用いて、前記情報が有効であるか否かを判定する工程と
を備えることを特徴とする方法。
【請求項２】
１または複数のタッチ動作による第１の設定を検出する工程は、該１または複数のタッチ動作による第１の設定によって形成される入力操作を識別する工程を備えることを特徴とする請求項１に記載の方法。
【請求項３】
情報を送信する工程は、前記入力操作に基づいて前記情報を符号化する工程と、
前記装置に対して、物理的な無線通信リンクにより、前記グラフィック・オブジェクトに関連付けられた情報を送信する工程と
を備えることを特徴とする請求項２に記載の方法。
【請求項４】
入力操作を識別する工程は、当該入力操作に関連付けられたパラメータを測定する工程を備えることを特徴とする請求項２に記載の方法。
【請求項５】
パラメータを測定する工程は、
前記入力操作が完了するまでの所要時間を測定する工程と、
各タッチ動作の指の大きさを測定する工程と、
指の動作速度を測定する工程と、
ディスプレイの静電容量の変化を測定する工程と、
各タッチ動作の指の形状を判定する工程と、
指と指との間の距離を測定する工程と、
指紋を判定する工程と、
指の３次元画像を取得する工程のうちの少なくとも１つを含むことを特徴とする請求項４に記載の方法。
【請求項６】
入力操作を識別する工程は、
１本の指による入力操作、２本の指による入力操作、連続的な入力操作、不連続な入力操作のうちの少なくともいずれか１つとして、あるいはタップとして、当該入力操作を識別する工程を備えることを特徴とする請求項２に記載の方法。
【請求項７】
前記情報に基づいて参照されるデータに対する要求を受信する工程と、
前記要求に応答して前記データを送信する工程と
を更に備えることを特徴とする請求項１に記載の方法。
【請求項８】
前記要求に応答して前記データを送信する工程は、前記情報の送信に用いられた無線通信リンクとは異なる通信リンクを用いて前記データを送信する工程を備えることを特徴とする請求項７に記載の方法。
【請求項９】
前記データの送信に対する支払いを、口座にて受け取る工程を更に備えることを特徴とする請求項７に記載の方法。
【請求項１０】
タッチスクリーンと、
プロセッサと、を備え、
該プロセッサは、
遠隔の高周波識別（ＲＦＩＤ）タグにおける１または複数のタッチ動作を検出し、
１または複数のタッチ動作が検出された場合に、前記遠隔のＲＦＩＤタグから送信された信号により前記遠隔のＲＦＩＤタグから情報を受信し、
前記タッチスクリーン上の入力操作を識別し、
前記タッチスクリーン上の入力操作により前記情報が確認された場合に、前記情報にアクセスするように構成されていることを特徴とする装置。
【請求項１１】
前記遠隔のＲＦＩＤタグは、パッシブＲＦＩＤタグ、またはアクティブＲＦＩＤタグのいずれか一方を含むことを特徴とする請求項１０に記載の装置。
【請求項１２】
前記情報を受信するＲＦＩＤ受信器を更に備えることを特徴とする請求項１０に記載の装置。
【請求項１３】
前記プロセッサは、更に、前記情報において提供されるリンク先のデータに対する要求を送信し、前記データを受信するように構成されていることを特徴とする請求項１０に記載の装置。
【請求項１４】
前記プロセッサは、更に、前記データを受信するのと引き換えに口座に送金するように構成されていることを特徴とする請求項１３に記載の装置。
【請求項１５】
前記プロセッサは、更に、割引クーポンを受信するように構成されていることを特徴とする請求項１３に記載の装置。
【請求項１６】
前記プロセッサは、更に、前記タッチスクリーンにおける前記入力操作に基づいて、前記情報を復号化するように構成されていることを特徴とする請求項１０に記載の装置。
【請求項１７】
ディスプレイと、
プロセッサと、を備える装置であって、
前記プロセッサは、前記装置と遠隔の装置との間の通信リンクを介して受信された信号に基づいて、該遠隔の装置の遠隔の入力面における１または複数のタッチ動作による第１の設定を取得し、
前記信号を介して１または複数のタッチ動作による前記第１の設定に関連付けられた情報を受信し、
前記ディスプレイにおける入力操作を検出し、
前記情報が、前記入力操作に基づいてコンテンツを取得するのに利用される情報か否かを判定することを特徴とする装置。
【請求項１８】
前記遠隔の装置は、パッシブ高周波識別（ＲＦＩＤ）タグを備えることを特徴とする請求項１７に記載の装置。
【請求項１９】
前記遠隔の入力面は、タッチスクリーンの面を含むことを特徴とする請求項１７に記載の装置。
【請求項２０】
前記情報は、コンテンツプロバイダのデータへのリンクを含むことを特徴とする請求項１７に記載の装置。
【請求項２１】
遠隔の装置から送信され、該遠隔の装置が備える遠隔のディスプレイにおけるグラフィック・オブジェクトに関連付けられた情報を受信する手段と、
ローカルディスプレイにおける入力操作を検出する手段と、
前記入力操作に基づいて情報を復号化する手段と、
前記情報を復号化する手段が所定の時間内に前記情報を復号化できなかった場合に、前記情報を削除する手段と
を備えることを特徴とする装置。
【発明の詳細な説明】
【技術分野】
【０００１】
本明細書に記載された実施例は、ユーザインタフェースに関するものであり、特に、タッチ動作により装置間の情報伝送を行うユーザインタフェースに関するものである。
【背景技術】
【０００２】
多くのコンピュータまたは通信装置が、キーボードあるいはキーパッドにより、ユーザインタフェースの一部を提供している。しかしながら、キーボードやキーパッドは、扱いにくく、利便性に欠ける。更に、キーボードやキーパッドの代わりにタッチスクリーンを利用する装置もあるが、キーボードやキーパッドを利用する装置に対して、利便性の著しい改善が見られるわけではない。
【発明の概要】
【課題を解決するための手段】
【０００３】
一つの面によれば、方法は、グラフィック・オブジェクトに対する１または複数のタッチ動作による第１の設定を検出する工程と、グラフィック・オブジェクトに関連付けられた情報を、タッチスクリーンを備える装置に送信する工程と、前記装置が該情報を受信する工程と、前記タッチスクリーンにおける１または複数のタッチ動作による第２の設定を受け付ける工程と、前記１または複数のタッチ動作による第２の設定により、前記情報が有効か否かを判定する工程とを備える。
【０００４】
また、１または複数のタッチ動作による第１の設定を検出する工程は、該１または複数のタッチ動作による該第１の設定によって形成される入力操作を識別する工程を備える。
【０００５】
また、情報を送信する工程は、前記入力操作に基づいて、前記情報を符号化する工程と、前記グラフィック・オブジェクトに関連付けられた情報を、物理的な無線通信リンクにより前記装置に送信する工程とを備える。
【０００６】
また、入力操作を識別する工程は、該入力操作に関連付けられたパラメータを測定する工程を備える。
【０００７】
また、パラメータを測定する工程は、入力操作が完了するまでの所要時間を測定する工程と、各タッチ動作の指のサイズを測定する工程と、指の動作速度を測定する工程と、ディスプレイの静電容量の変化を測定する工程と、各タッチ動作の指の形状を判定する工程と、指と指との間の距離を測定する工程と、指紋を判定する工程または指の３次元画像を取得する工程のうちの少なくとも１つを含む。
【０００８】
また、入力操作を識別する工程は、１本の指による入力操作、２本の指による入力操作、連続的な操作、不連続な入力操作のうちの少なくともいずれか１つとして、あるいはタップとして、当該入力操作を識別する工程を備える。
【０００９】
また、上記方法は、更に、前記情報に基づいて参照されるデータに対する要求を受信する工程と、当該要求に応答して当該データを送信する工程とを備える。
【００１０】
また、上記要求に応答して上記データを送信する工程は、上記情報が送信される無線通信リンクとは異なる無線通信リンクを用いて、当該データを送信する工程を備える。
【００１１】
更に、上記方法は、上記データの送信に対する支払いを口座にて受け取る工程を備える。
【００１２】
他の面によれば、装置は、タッチスクリーンとプロセッサとを備える。当該プロセッサは、遠隔の高周波識別タグ（ＲＦＩＤタグ）における１または複数のタッチ動作を検出し、１または複数のタッチ動作が検出された場合に、当該遠隔のＲＦＩＤタグから送信された信号により当該遠隔のＲＦＩＤタグから情報を受信するとともに、当該タッチスクリーン上の入力操作を識別し、当該タッチスクリーン上の入力操作により当該情報が確認された場合に、当該情報にアクセスするように構成されている。
【００１３】
また、遠隔のＲＦＩＤタグは、パッシブＲＦＩＤタグまたはアクティブＲＦＩＤタグのいずれか一方を含む。
【００１４】
また、前記装置は、更に、前記情報を受信するＲＦＩＤ受信器を備える。
【００１５】
また、前記プロセッサは、更に、前記情報において提供されるリンク先のデータに対する要求を送信し、前記データを受信するように構成されている。
【００１６】
また、前記プロセッサは、更に、前記データの受信と引き換えに口座に送金するように構成されている。
【００１７】
また、上記プロセッサは、更に、割引クーポンを受信するように構成されている。
【００１８】
また、上記プロセッサは、更に、タッチスクリーンにおける入力操作に基づいて情報を復号化するように構成されている。
【００１９】
更なる他の面によれば、装置は、ディスプレイとプロセッサとを備える。当該プロセッサは、当該装置と遠隔の装置との間の通信リンクにおいて受信された信号に基づいて、当該遠隔の装置の遠隔の入力面における１または複数のタッチ動作による第１の設定を取得し、当該信号を介して、１または複数のタッチ動作による前記第１の設定に関連付けられた情報を受信するとともに、前記ディスプレイにおける入力操作を検出し、当該入力操作に基づいて当該情報がコンテンツを取得するのに利用される情報か否かを判定する。
【００２０】
また、前記遠隔の装置は、パッシブ高周波識別（ＲＦＩＤ）タグを備える。
【００２１】
また、前記遠隔の入力面は、タッチスクリーンの面を含む。
【００２２】
また、前記情報は、コンテンツプロバイダのデータへのリンクを含む。
【００２３】
また、更なる面によれば、装置は、遠隔の装置から送信され、かつ、該遠隔の装置が備える遠隔のディスプレイにおけるグラフィック・オブジェクトに関連付けられた情報を受信する手段と、ローカルディスプレイにおける入力操作を検出する手段と、当該入力操作に基づいて前記情報を復号化する手段と、所定の時間内に、前記情報を復号化する手段が当該情報を復号化できなかった場合に、当該情報を削除する手段とを備える。
【図面の簡単な説明】
【００２４】
添付の図面は、本明細書に組み込まれ本明細書の一部をなすものであり、以下に記載した複数の実施形態を図示し、その記載とともに当該実施形態を説明するものである。
【図１】図１は、本明細書に記載した概念を実行するためのシステムを示す図である。
【図２】図２は、図１の装置のうちの１つについての代表的な図である。
【図３】図３は、図２の装置についての代表的なブロック図である。
【図４】図３は、図２の装置に含まれる代表的な構成要素についての機能ブロック図である。
【図５】図５は、入力操作を利用して情報を送信するための代表的な処理の流れを示すフローチャートである。
【図６Ａ】図６Ａは、代表的なタッチパターンを時間の関数として示した図である。
【図６Ｂ】図６Ｂは、ディスプレイの表面における代表的なタッチパターンを示した図である。
【図６Ｃ】図６Ｃは、図６Ａ及び図６Ｂに示すそれぞれのパターンに対して取得される異なる種類のパラメータを含むテーブルを示した図である。
【図７】図７は、本明細書に記載した概念についての他の実施例を示した図である。
【図８】図８は、入力操作を利用して情報を受信するための他の代表的な処理を示すフローチャートである。
【図９】図９は、パッシブ高周波識別（ＲＦＩＤ）タグからの信号の強度についての代表的なグラフである。
【図１０Ａ】図１０Ａは、図８の代表的な処理についての代表的な実施例を示した図である。
【図１０Ｂ】図１０Ｂは、図８の代表的な処理についての代表的な実施例を示した図である。
【図１０Ｃ】図１０Ｃは、図８の代表的な処理についての代表的な実施例を示した図である。
【発明を実施するための形態】
【００２５】
以下に示す詳細な記載を、添付の図面を参照しながら説明する。なお、異なる図面における同一の参照番号は、同一のまたは類似の構成要素を示すものとする。
【００２６】
本明細書において用いられる「タッチ動作」という用語は、指または体の一部の接触を意味するものとする。また、センサに体の一部が近接することにより、センサが当該接触を検出した場合には、たとえ物理的な接触がなかった場合であっても、タッチ動作が発生したと判断されるものとする。本明細書において用いられる「タッチスクリーン」という用語は、タッチセンシティブスクリーンのみを意味するものではなく、指または体の一部が当該スクリーンに近接した場合に、接触したことを示す信号を出力するスクリーンであってもよい（例えば、静電容量式のスクリーン、近距離音場スクリーン）。
【００２７】
本明細書に記載された実施例では、タッチ動作により、異なる装置間における情報の送信が行われる。図１に、本明細書に記載された概念についての一実施例を含む代表的なシステムを示す。図１に示すように、システム１００は、装置１０２及び装置１０４と、無線アクセスポイント（ＷＡＰ）１０６と、ネットワーク１０８とを備える。他の実施例において、システム１００は、より多くの構成要素が含まれていてもよいし、より少ない構成要素からなっていてもよい。また、異なる構成要素からなっていてもよい。更に、システム１００の複数の構成要素がシステム１００の他の構成要素の複数の機能を実行してもよい。
【００２８】
各装置１０２／１０４は、以下の装置のいずれかを含む：高周波識別（ＲＦＩＤ）タグ；ＲＦＩＤタグ受信器；タッチスクリーン；ゲーム用コンソール（例えば、任天堂のデュアルスクリーン（ＤＳ））；無線電話等の電話機；データ処理が可能な携帯電話機能を兼ね備える携帯通信端末（ＰＣＳ）；ファクシミリ；および／またはデータ通信機能、移動電話、ノートパソコン、ラップトップ、パーソナルコンピュータ（ＰＣ）、携帯電話、ページャ、インターネット／イントラネットアクセス、ウェブブラウザ、オーガナイザ、カレンダ、ＧＰＳレシーバ、及び／または、ＲＦＩＤタグ、タッチスクリーンを備える携帯情報端末（ＰＤＡ）；あるいは、他の種類の情報処理装置または通信装置、これらの装置のいずれかで実行されるスレッドまたは処理、および／または、これらの装置のいずれかで実行可能なオブジェクトを含む。
【００２９】
ＷＡＰ１０６は、無線および／または有線の信号を送受信可能なルータ、あるいはネットワークへのアクセスが可能な他の任意の装置等、ネットワーク１０８にアクセスするための装置を含む。ＷＡＰ１０６は、任意の無線通信プロトコルを用いて装置１０２と通信する。装置１０２／１０４は、ＷＡＰ１０６を介してネットワーク１０８に接続する。他の実施例において、装置１０２／１０４は、有線接続および／または無線接続を介してネットワーク１０８に接続する。
【００３０】
ネットワーク１０８は、インターネット、アドホックネットワーク、ローカルエリアネットワーク（ＬＡＮ）、広域ネットワーク（ＷＡＮ）、メトロポリタンエリアネットワーク（ＭＡＮ）、セルラーネットワーク、公衆交換電話網（ＰＳＴＮ）、その他のネットワーク、あるいはネットワークの組み合わせを含む。
【００３１】
図１に更に示すように、ユーザが、装置１０２から装置１０４へと情報（例えば、写真１１０）の一部を送信しようとした場合、当該ユーザは、ディスプレイ１１２またはディスプレイ１０２の一部をタッチする。一実施例において、タッチすることにより、装置１０２では、情報を符号化し装置１０４に送信する。装置１０４において情報を受信すると、ユーザは、装置１０４のディスプレイ１１４に対してタッチ動作し、当該情報を復号化し、当該情報にアクセスする（閲覧する）。
【００３２】
＜代表的な装置＞
図２は、装置１０２／１０４に対応する代表的なブロック図である。図２に示すように、装置１０２／１０４は、カメラ２０２、スピーカ２０４、ディスプレイ２０６、コントロールボタン２０８、キーパッド２１０、マイクロホン２１２、ハウジング２１４を備える。ユーザは、カメラ２０２を介して装置１０２／１０４の前方の被写体についてのメディア（例えば、画像やビデオクリップ）を見たり、撮像したり、格納したりすることができる。スピーカ２０４は、装置１０２／１０４のユーザに、可聴音情報を提供する。ディスプレイ２０６は、ビデオ画像や写真等の視覚情報をユーザに提供する。ディスプレイ２０６には、ユーザからの入力を受け付けるタッチスクリーン（例えば、静電容量式のスクリーン、近距離音場式のスクリーン）が含まれる。コントロールボタン２０８により、ユーザは、装置１０２／１０４とのやりとりが可能となり、電話をかけたり、電話を受けたりといった複数の動作を装置１０２／１０４に実行させることができる。キーパッド２１０は、標準的な電話用のキーパッドを含む。マイクロホン２１２は、ユーザから可聴音情報を受信する。ハウジング２１４は、装置１０２／１０４の構成要素を覆い、外部要因から当該構成要素を保護する役割を果たす。
【００３３】
図３は、図２の装置１０２／１０４の代表的なブロック図を示している。図３に示すように、装置１０２／１０４は、メモリ３０２、処理ユニット３０４、ネットワークインタフェース３０６、入出力装置３０８、ディスプレイ３１０、ＲＦＩＤアセンブリ３１２、及びバス３１４を備える。他の実施例において、装置１０２／１０４は、より多くの構成要素が含まれていてもよいし、より少ない構成要素からなっていてもよい。あるいは、異なる構成要素からなっていてもよい。例えば、装置１０２／１０４がディジタルカメラを含んでいた場合、装置１０２には、レンズ部品および／または画像センサが含まれる。
【００３４】
メモリ３０２には、データや機械可読な指示を格納するための、読み出し専用メモリ（ＲＯＭ）等のスタティックメモリ、及び／またはランダムアクセスメモリ（ＲＡＭ）等のダイナミックメモリ、あるいは内蔵されたキャッシュが含まれる。メモリ３０２には、フロッピー（登録商標）ディスク、ＣＤＲＯＭ、ＣＤ読み書き（Ｒ／Ｗ）ディスク、及び／またはフラッシュメモリのみならず、他の種類の記憶装置も含まれる。処理ユニット３０４には、複数のプロセッサ、マイクロプロセッサ、および／または装置１０２／１０４を制御可能な処理ロジックが含まれる。ネットワークインタフェース３０６には、装置１０２／１０４が他の装置および／またはシステムと通信できるようにするための送受信器等の構成が含まれる。例えば、ネットワークインタフェース３０６には、インターネット等のネットワークや、地上無線ネットワーク（例えば、無線ローカルエリアネットワーク（ＷＬＡＮ））、衛星を用いたネットワーク等を介して通信を行う構成が含まれる。あるいは代替として、ネットワークインタフェース３０６には、モデム、ローカルエリアネットワーク（ＬＡＮ）に対するイーサネット（登録商標）インタフェース、及び／または、装置１０２／１０４が他の装置（例えば、ブルートゥースインタフェース）に接続するためのインタフェース／接続が更に含まれる。更に、ネットワークインタフェース３０６には、全地球測位システム（ＧＰＳ）等の受信器が含まれる。入出力装置３０８には、キーボード、キーパッド（例えば、図２のキーパッド２１０）、ボタン（例えば、コントロールボタン２０８）、マウス、スピーカ（例えば、スピーカ２０４）、マイクロホン（例えば、マイクロホン２１２）、デジタルビデオディスク（ＤＶＤ）書き込み装置、ＤＶＤ読み出し装置、ユニバーサルシリアルバス（ＵＳＢ）、及び／または、装置１０２／１０４に関するデジタル信号に対する物理イベントまたは物理現象及び／または装置１０２／１０４からのデジタル信号に対する物理イベントまたは物理現象について変換を行う他の種類の装置が含まれる。
【００３５】
ディスプレイ３１０には、スクリーン表示装置（例えば、液晶表示装置（ＬＣＤ）、ブラウン管表示装置（ＣＲＴ）、有機発光ダイオード表示装置（ＯＬＥＤ）、表面伝導型電子放出素子ディスプレイ（ＳＥＤ）、プラズマ表示装置、電界放射型表示装置（ＦＥＤ）、双安定表示装置等）及び、ユーザ入力インタフェースとして機能するタッチスクリーンまたはパネル操作可能なディスプレイが含まれる。例えば、ディスプレイ３１０には、感圧式（例えば、抵抗検出型）のディスプレイ、近距離音場検出型（例えば、静電容量式）のディスプレイ、音響検出型（例えば、表面音波式）のディスプレイ、受光型（例えば、赤外線検出型）のディスプレイ、及び／または、ディスプレイ３１０を入力装置として利用可能にするための他の種類のディスプレイ用のオーバーレイ装置が含まれる。他の例において、ディスプレイ３１０には、微細表面の加速度を検出することによって接触を検出する加速度計や接触を検出するカメラが含まれる。更なる他の例では、ディスプレイ３１０には、表面のマスト傾斜角の微細な変化を検出することで接触を検出する装置が含まれる。
【００３６】
ＲＦＩＤアセンブリ３１２には、識別用のデータを格納したり送信するＲＦＩＤタグおよび／または、遠隔のＲＦＩＤタグからデータを読み出したり、受信するＲＦＩＤ受信器が含まれる。ＲＦＩＤタグは、可動側のタグでも受信側のタグであってもよい。受信側のタグは、内部動力源を含まず、ＲＦＩＤ受信器からの送信信号の後方散乱に基づいて識別情報を送信する。可動側のタグは、識別信号を生成するのに用いられる内部動力源を備える。異なる実施例において、ＲＦＩＤアセンブリ３１２の代替として、遠隔の装置がタッチ動作された場合に、装置１０２／１０４が当該タッチ動作を検出できるように、装置１０２／１０４が、遠隔の装置から信号を受信する無線受信器を備えていても良い。
【００３７】
バス３１４は、装置１０２の構成要素が互いに通信できるようにするためのインタフェースを提供する。
【００３８】
図４は、装置１０２／１０４に含まれる代表的な構成要素についての機能ブロック図である。図４に示すように、装置１０２／１０４は、アプリケーション４０２、サポートロジック４０４、データベース４０６、およびタッチインタフェース４０８を備える。他の実施例において、装置１０２／１０４は、図４に示された構成要素より少ない構成要素からなっていてもよいし、より多くの構成要素からなっていてもよいし、あるいは異なる種類の構成要素からなっていてもよい。
【００３９】
アプリケーション４０２は、テキストメッセージング、電子メール、マルチメディアメッセージング、無線通信（例えば、ブルートゥース）、撮像および撮像画像の格納、赤外線通信、ウェブアクセス、および、ダウンローディング、画像送信等の、装置１０２／１０４の種々の機能をサポートするハードウェアおよび／またはソフトウェアを含む。
【００４０】
サポートロジック４０４は、アプリケーション４０２、データベース４０６、タッチインタフェース４０８用の種々のサポート機能を実行するハードウェアおよび／またはソフトウェアを備える。例えば、サポートロジック４０４は、図４に示す構成要素（例えば、アプリケーション４０２やタッチインタフェース４０８）と、図３に示す構成要素（例えば、ネットワークインタフェース３０６、入出力装置３０８、ディスプレイ３１０）との間のインタフェースを提供する。更なる他の例において、サポートロジック４０４は、通信アプリケーションをサポートするＴＣＰ／ＩＰスタックを提供する。
【００４１】
データベース４０６は、アプリケーション４０２、サポートロジック４０４、タッチインタフェース４０８用の情報格納部として機能する。例えば、アプリケーション４０２は、メール、テキスト、及び／または音声を、データベース４０６に格納したり、データベース４０６を検索したりする。他の例においては、タッチインタフェース４０８が、データベース４０６を検索したり、及び／または画像を格納したりする。
【００４２】
タッチインタフェース４０８は、タッチ動作の形式でディスプレイ３１０からの入力を受け付けるハードウェアおよび／またはソフトウェアを備える。更に、タッチ動作に応じて、タッチインタフェース４０８は、処理ユニット３０４（図３）が情報（例えば、ビデオ、写真、音楽の一部、リンク、テキスト、文書等）を遠隔の装置に送信、及び／遠隔の装置から受信するように動作する。一実施例において、タッチインタフェース４０８は、ユーザの電子財布／電子口座からお金を引き出すことによって、遠隔の装置からの情報の受信に関連するトランザクション（例えば、購買処理）を完了させる。
【００４３】
＜タッチ動作により情報を送信する代表的な処理＞
図５は、タッチ動作により情報を送信する代表的な処理５００を示したものである。処理５００は、データを表すグラフィック・オブジェクトを装置上に表示するブロック５０２から開始される。当該グラフィック・オブジェクトは、データ自体（例えば、写真等）を表すものであっても、データを呼び出すもの（例えば、アイコンやリンク等）であってもよい。
【００４４】
ブロック５０４において、グラフィック・オブジェクトに対するタッチ動作が検出される。タッチ動作の検出には、タッチ動作によって形成されるパターンを判定することが含まれる。当該パターンは、処理を有効にするためのキーとして利用されてもよいし、異なる装置にあっては、送信及び／または受信される情報を符号化及び／または復号化するのに利用されてもよい。当該パターンは、異なるグループ間において共有されてもよく、また、符号化するためのパターンを提供するユーザと、情報を復号化するためのパターンを提供するユーザとは異なっていても良い。
【００４５】
図６Ａ及び図６Ｂは、異なる種類のパターンと認識される場合を示している。一実施例において、当該パターンは、隠れマルコフ・モデルのような統計モデルに基づいて判定される。図６Ａは、パターンを時間関数として示している。図６Ａに示すように、パターン６０２は、複数のタップを含む。それぞれのタップは、入力スクリーン上の複数の位置において同時に行われても良いし、次のタップと区別されるように所定の間隔をあけて行われても良い。
【００４６】
図６Ｂは、表面（例えば、ディスプレイの表面）におけるタッチ動作のパターンを示している。図６Ｂに示すように、表面におけるタッチ動作のパターンには、１本の指による入力操作、２本の指による入力操作、連続的な入力操作、あるいは不連続な入力操作が含まれる。１本の指による入力操作及び２本の指による入力操作は、これらの用語に含まれるように、１本の指で行われても２本の指で別々に行われても良い。連続的な入力操作は、入力面に対してタッチ動作を途切れることなく動かすことによって実現され、不連続な入力操作は、タッチ動作とタッチ動作との間で入力面から離れる、複数回のタッチ動作によって実現される。キーとして使用された場合、紙面左端の入力操作（つまり、１本の指による入力操作）は、図示された中で最も低いセキュリティレベルを提供し、紙面左端の入力操作は、最も高いセキュリティレベルを提供する。異なる実施例において、タッチ動作のパターンには、他の指（例えば、３本の指によるタッチ動作）を含むパターン、または、人体の他の部位（例えば、手のひら）を含むパターンが含まれる。
【００４７】
図６Ｃは、図６Ａ及び図６Ｂに示されたそれぞれのパターンに対して取得される異なる種類のパラメータ（例えば、テーブル６０４の左端欄の項目）を含むテーブルを示している。図６Ｃに示すように、当該パラメータには、指の大きさ（例えば、入力面における接触領域の大きさ）や、指の形状（例えば、接触領域の形状）、指の動作速度、静電容量（例えば、人体の一部が入力面に接近した場合の、入力面における静電容量の変化）、時間（パターンが完成するのにかかった時間）、指と指との間の距離、及び／または、パターンの連続性（例えば、パターンを形成する際のタッチ動作の回数）が含まれる。静電容量は、入力ディスプレイとして用いられる特定のタッチスクリーンが前提となる。また、指と指との間の距離は、特定の入力操作が前提となる。また、図６Ｃは、それぞれのパターン（例えば、テーブル６０４の最上段の項目）に対して、グラフィック・オブジェクトによって表される情報の符号化または逆符号化のための暗号化／復号化キーとして、どのパラメータが抽出され利用されるのかを示している。例えば、図６Ｃにおいて、チェックマークは、指のサイズが暗号化キーを形成するのに用いられる一連の文字を導きだすのに利用されることを示している。異なる実施例において、他のパラメータは、指紋や、指または手の３次元の接触といったタッチ動作のパターンから取得される。
【００４８】
図５に戻る。ブロック５０６では、情報の特定の部分が、タッチ動作に基づいて選択される。一実施例において、選択された情報は、グラフィック・オブジェクトによって表されるデータである。例えば、テキスト文書を表すアイコンまたはテキスト文書を示すウィンドウにおいてタッチ操作した場合、テキスト文書が選択される。他の実施例において、選択された情報は、データ（例えば、リンクまたはユニバーサルリソースロケータ（ＵＲＬ））の呼び出しを含む。
【００４９】
ブロック５０８では、選択された情報が符号化される。一実施例において、当該符号化は、図６Ｃに示されるパラメータから形成される暗号化キーを用いて実行される。
【００５０】
ブロック５１０では、暗号化された情報が送信される。一実施例において、情報は、短距離の電磁波（例えば、ブルートゥース、ＷＬＡＮ）により、近接するすべての装置に対して送信される。他の実施例において、情報は、異なる通信メカニズムにより送信される。例えば、一実施例において、情報およびＧＰＳ受信器から取得された位置情報は、無線電話線を介して、ネットワークに送信される。ネットワークは、位置情報に基づいて、近接するすべての装置を見つけだし、当該近接する装置に情報を送信する。
【００５１】
送信された情報が、グラフィック・オブジェクトによって表されるデータを含む場合、ブロック５１０では、処理５００を終了する。そのような場合、近接する装置では、ユーザは確認のためのタッチ動作を行う（つまり、情報を送信するユーザの意図を確認したことを示すタッチ動作を行う）。近接する装置では、確認のタッチ動作に関連付けられたパターンが識別され、情報を復号化するキーとして用いられる。近接する装置が情報を受信した場合には、当該近接する装置は、符号化された情報を削除する。
【００５２】
送信された情報に基づいて、グラフィック・オブジェクトによって表されるデータに代替してデータを呼び出す場合には、近接する装置が、送信された情報を受信することを前提として、処理５００が継続される。情報を受信する近接する装置において、所定時間内に確認のためのタッチ動作が行われた場合には、当該近接する装置は、当該情報によって呼び出されるデータに対する要求を送信する。
【００５３】
異なる実施例では、確認のためのタッチ動作が、ブロック５０４において情報転送を開始したユーザによってではなく、情報を符号化するのに用いられる特定のタッチ動作のパターンを共有する他のユーザによって行われる。例えば、情報を受信する装置は、装置の所有者が、受信した情報を符号化するのに用いられるパターンを提供する場合に、当該装置の所有者からの確認のためのタッチ動作のみを受け付け、受信した情報を復号化する。
【００５４】
ブロック５１２では、近接する装置からの要求を受信する。一実施例によれば、当該要求は、通信チャネル、または当該通信チャネルとは異なるリンク、またはブロック５１０において符号化された情報を送信するのに用いられたリンクを介して受信される。例えば、符号化された情報は、ブルートゥース通信チャネルを介して送信され、当該要求は、ＷＬＡＮを介して受信される。他の例において、符号化された情報を送信する装置及び近接する装置が、有線ＬＡＮに接続されている場合、当該要求は有線ＬＡＮを介して生成される。他の実施例において、データが装置１０２上になくリモートサーバ上にあることを示す指示があった場合、サーバは、適切な通信チャネルを介して当該要求を受信する。
【００５５】
ブロック５１４では、呼び出されたデータが当該要求に応答して近接する装置に送信される。呼び出されたデータは、当該要求を受信するのに用いられる通信チャネルにより送信される。当該チャネルによって提供されるセキュリティレベルによれば、呼び出されたデータは、符号化されていても符号化されていなくても良い。また、呼び出されたデータが装置１０２内に存在しないが、サーバ内に存在する場合、当該サーバは、当該要求を受信した際に当該呼び出されたデータを近接する装置に送信する。
【００５６】
ブロック５１６では、ブロック管理動作が実行される。例えば、近接する装置により受信された情報がデータの呼び出しを含む場合、当該情報は、近接する装置から削除される。他の例において、呼び出されたデータの受信が金融取引を含む場合、適切な口座（例えば、動画やピクチャ等を受信したユーザの口座）が変更される。
【００５７】
＜他の実施例＞
図７は、本明細書に記載した概念についての他の実施例を示した図である。他の実施例において、パッシブＲＦＩＤタグ７０２は、図１における装置１０２と同様の役割を果たす。図７において、パッシブＲＦＩＤタグ７０２に対してタッチ動作すると、近接する装置１０４は、パッシブＲＦＩＤタグ７０２からの信号に基づいて、タッチ動作を検出し、パッシブＲＦＩＤタグ７０２から送信された情報の一部を一時的に格納する。ユーザが情報（例えば、映画）の取得の意思を確認するためにディスプレイ１１４をタッチ動作した場合、装置１０４は、自動的にネットワーク１０６におけるコンテンツプロバイダからデータをダウンロードする。コンテンツプロバイダのネットワークアドレスは、パッシブＲＦＩＤタグ７０２から送信された情報の一部に含まれている。
【００５８】
図８は、情報を受信するためにタッチ動作を利用する他の実施例を実行する代表的な処理８００のフローチャートを示している。処理８００は、パッシブＲＦＩＤタグへのタッチ動作をパッシブＲＦＩＤタグとは別体の装置が検出するブロック８０２から開始される。例えば、図７において、財布（不図示）の中に装置１０４を入れて持ち運ぶユーザが、映画の広告のポスター７０４に近づいたとする。当該ユーザがポスター７０４に近づくと、装置１０４のＲＦＩＤアセンブリ３１２（図３）からの信号が、ポスター７０４に配されたパッシブＲＦＩＤタグ７０２に対して出力される（例えば、後方散乱される）。ユーザが広告された映画のチケットを購入しようとした場合、ユーザは、パッシブＲＦＩＤタグ７０２に対してタッチ動作する。装置１０４は、出力された信号の強度プロファイルを取得し、パッシブＲＦＩＤタグの信号強度の既知のグラフと当該強度プロファイルとを比較することによってＲＦＩＤタグ７０２におけるタッチ動作を検出する。
【００５９】
図９は、タッチ動作されたパッシブＲＦＩＤタグからの信号強度の代表的なグラフを示す図である。ＲＦＩＤアセンブリ３１２を持ち運ぶユーザが、パッシブＲＦＩＤタグに近づいた場合、信号強度が増加する（例えば、図９の領域Ｔ１）。ユーザの手または足がパッシブＲＦＩＤタグに接触し、パッシブＲＦＩＤタグを部分的に覆った場合、信号強度は、パッシブＲＦＩＤタグの閉塞作用により、急激に低下する（例えば、領域Ｔ２）。ユーザの手がパッシブＲＦＩＤタグから離れた場合、信号強度は、低下前の強度レベルまで回復し、当該ユーザ及び当該ＲＦＩＤ受信器がパッシブＲＦＩＤタグから離れるに従って、信号強度は徐々に減少する。
【００６０】
図８に戻る。ブロック８０４では、出力された信号の形式で符号化された情報がパッシブＲＦＩＤタグから送信される。一実施例において、受信した情報には、ユーザが取得しようとしているデータ（例えば、ビデオクリップ）が含まれる。他の実施例において、受信した情報には、パッシブＲＦＩＤタグとは別体の装置によってアクセス可能なネットワーク内のコンテンツプロバイダからの情報が含まれる。
【００６１】
ブロック８０６では、確認のためのタッチ動作がパッシブＲＦＩＤタグとは別体の装置において検出される。タッチ動作の検出には、処理５００に関して上述したように、タッチ動作によって形成されたパターンの判定が含まれる。確認のためのタッチ動作が所定の時間内に装置において検出されなかった場合、当該情報は当該装置から削除される。
【００６２】
ブロック８０８では、受信した情報が確認のためのタッチ動作に基づいて復号化される。受信した情報が、ユーザが取得しようとしたデータを含んでいた場合、処理８００は、ブロック８０８において終了する。送信された情報が、データ自体ではなくデータの呼び出し先を含んでいた場合、処理８００は、ブロック８１０において当該データをダウンロードする。
【００６３】
一実施例によれば、データは、ブロック８０４において符号化された情報の受信に用いられるチャネルとは異なる通信チャネルを介して受信される。例えば、符号化された情報は、特定のＲＦＩＤチャネルを介して送信され、データは、無線電話チャネルを介して受信される。他の例において、装置が有線／無線ＬＡＮ上にある場合には、当該有線／無線ＬＡＮを介して要求が生成される。
【００６４】
ブロック８１２では、経理処理が実行される。例えば、装置において受信された情報が、データの呼び出し先を含んでいた場合、情報は、装置から削除される。他の例において、呼び出し先のデータの受信がクレジットや支払を含む場合、適切な金額（例えば、映画や写真等を受信したユーザの金額）が請求またはクレジットされる。クレジットが割引クーポンの形で提供される場合、当該クーポンは、データを購入する際に利用される。
【００６５】
＜実施例＞
以下に示す実施例は、図１０Ａ〜１０Ｃに示すように、タッチ動作により情報を送信する処理を示すものである。当該実施例は、図５を参照しながら上述した、代表的な処理に対応している。
【００６６】
図１０Ａは、オラ１００２とジェーン１００４がオラの電話１００８に表示されたジェーンの写真１００６を見ている様子を示している。ジェーン１００４は「おや、イビザからのこの写真は素晴らしいわ。私はあんな帽子をかぶっていたことを覚えていない。あの写真がほしいわ。」と言っているのに対して、オラ１００２は、「いいよ」と答えている。オラ１００２は、写真１００８のディスプレイ１０１０に表示されたジェーンの写真１００６を手で触る。図１０Ｂは、オラ１００２がディスプレイ１０１０に表示されたジェーン１００６をタッチ動作している様子を示している。オラ１００２がジェーンのノートパッド１０１４のディスプレイ１０１２をタッチ動作した場合、ジェーンの写真１００６は、ディスプレイ１０１２上に表示される。図１０Ｃは、オラ１００２がジェーンの写真１００６の送信を終了するためにノートパッド１０１４のディスプレイ１０１２をタッチ動作している様子を示している。
【００６７】
当該例において、オラ１００２がディスプレイ１０１０をタッチ動作した場合、ジェーンの写真１００６が選択され、オラのタッチ動作に伴う特定の入力に基づいて符号化される。符号化された写真は、ジェーンのノートパッド１０１４に送信され、所定の時間（例えば、３０秒）、ジェーンの写真１００６は一時的に格納される。ジェーン１００４が自身のノートパッド１０１４のディスプレイ１０１２にタッチ動作し、オラ１００２が行ったのと同じ特定の入力操作を行った場合、ジェーンの写真１００６は、当該入力に基づいて復号化されディスプレイ１０１２に表示される。
【００６８】
＜まとめ＞
上記実施形態の説明では図を用いたが、当該図は、完全なものを意図したものではなく、本実施形態を開示した方法そのものに限定することを意図したものでもない。上記開示内容に照らして修正や変更が可能であり、また、上記開示内容の方法からの修正や変更も可能である。
【００６９】
例えば、図５及び図８で示した処理に関して、１組のブロックとして記載したが、他の実施例において、当該ブロックの順序を変更してもよい。例えば、ブロック５１６は、ブロック５１２に先行して実行されてもよい。タッチ動作に基づいて装置から送信された符号化された情報が、データの呼び出し先を示すものではなくデータそのものであった場合には、ブロック５１２及び５１４は省略してもよい。符号化されたデータを送信する処理が支払い処理を含まない場合、ブロック５１６は省略してもよい。同様に、符号化された情報がデータそのものであった場合には、ブロック８１０は省略してもよく、データの受信処理が支払い処理を含まない場合には、ブロック８１２は省略してもよい。更に、従属していないブロックは、他のブロックと並行して実行可能な処理であることを表している。
【００７０】
本明細書に記載した内容が、図示された実施例のソフトウェア、ファームウェア、ハードウェアの形式とは異なる複数の形式を用いて実行されてもよいことは言うまでもない。当該内容を実行するのに用いられる実際のソフトウェアコードまたは専用の制御ハードウェアは、限定して解釈されるべきではない。したがって、当該内容の動作や作用は、特定のソフトウェアコードとは無関係に記載されている。ソフトウェア及び制御ハードウェアは、本明細書の記載に基づいて上記内容を実行するために設計されうる。
【００７１】
本願において用いられる構成要素、動作、指令は明記した場合を除いて、本発明に対して重要な、あるいは不可欠なものとして解釈されるべきではない。また、本明細書において用いられる「ａ（１つ）」という記載は、１つまたは複数の項目を含むことを意図したものである。１つのみの項目を意図している場合には、「ｏｎｅ（１つの）」という用語あるいは類似の言葉が用いられるものとする。更に、「〜に基づいて」という言い回しは、別の言い回しで明示した場合を除いては、「〜の少なくとも一部分に基づいて」ということを意味することを意図したものである。
【００７２】
「備える／備えている」という用語は、本明細書において用いられる場合、記載された特徴、完成品、工程あるいは部品の存在を特定するものであるが、１つまたは複数の他の特徴、完成品、工程あるいは部品またはそれらのグループの存在または付加を除外するものではないことは言うまでもない。
【００７３】
更に、本発明の所定の部分は、１または複数の機能を実行する「ロジック」として記載されている。このロジックは、プロセッサ、ハードウェア、特定用途向けＩＣ、あるいはフィールドプログラマブルゲートアレイ、ソフトウェア、あるいはソフトウェアとハードウェアの組み合わせを含んでいてもよい。
【図３】
2010525441.tif 000003
【図４】
2010525441.tif 000004
【図５】
2010525441.tif 000005
【図６Ａ】
2010525441.tif 000006
【図６Ｂ】
2010525441.tif 000007
【図６Ｃ】
2010525441.tif 000008
【図８】
2010525441.tif 000009
【図９】
2010525441.tif 000010
【図１】
2010525441.tif 000011
【図２】
2010525441.tif 000012
【図７】
2010525441.tif 000013
【図１０Ａ】
2010525441.tif 000014
【図１０Ｂ】
2010525441.tif 000015
【図１０Ｃ】
2010525441.tif 000016
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
グラフィック・オブジェクトに対する１または複数のタッチ動作による第１の設定を検出する工程と、
タッチスクリーンを含む装置に対して、前記グラフィック・オブジェクトに関連付けられた情報を送信する工程と、
前記装置にて前記情報を受信する工程と、
前記タッチスクリーンにおける１または複数のタッチ動作による第２の設定を受け付ける工程と、
前記１または複数のタッチ動作による第２の設定を用いて、前記情報がユーザによって受理されたか否かを判定する工程と、
前記１または複数のタッチ動作による第２の設定が、前記情報の受信から所定時間内に受け付けられなかった場合に、前記情報を削除する工程と
を備えることを特徴とする方法。
【請求項２】
１または複数のタッチ動作による第１の設定を検出する工程は、該１または複数のタッチ動作による第１の設定によって形成される入力操作を識別する工程を備えることを特徴とする請求項１に記載の方法。
【請求項３】
情報を送信する工程は、前記入力操作に基づいて前記情報を符号化する工程と、
前記装置に対して、物理的な無線通信リンクにより、前記グラフィカル・オブジェクトに関連付けられた情報を送信する工程と
を備えることを特徴とする請求項２に記載の方法。
【請求項４】
入力操作を識別する工程は、当該入力操作に関連付けられたパラメータを測定する工程を備えることを特徴とする請求項２に記載の方法。
【請求項５】
パラメータを測定する工程は、
前記入力操作が完了するまでの所要時間を測定する工程と、
各タッチ動作の指の大きさを測定する工程と、
指の動作速度を測定する工程と、
ディスプレイの静電容量の変化を測定する工程と、
各タッチ動作の指の形状を判定する工程と、
指と指との間の距離を測定する工程と、
指紋を判定する工程と、
指の３次元画像を取得する工程のうちの少なくとも１つを含むことを特徴とする請求項４に記載の方法。
【請求項６】
入力操作を識別する工程は、
１本の指による入力操作、２本の指による入力操作、連続的な入力操作、不連続な入力操作のうちの少なくともいずれか１つとして、あるいはタップとして、当該入力操作を識別する工程を備えることを特徴とする請求項２に記載の方法。
【請求項７】
前記情報に基づいて参照されるデータに対する要求を受信する工程と、
前記要求に応答して前記データを送信する工程と
を更に備えることを特徴とする請求項１に記載の方法。
【請求項８】
前記要求に応答して前記データを送信する工程は、前記情報の送信に用いられた無線通信リンクとは異なる通信リンクを用いて前記データを送信する工程を備えることを特徴とする請求項７に記載の方法。
【請求項９】
前記データの送信に対する支払いを、口座にて受け取る工程を更に備えることを特徴とする請求項７に記載の方法。
【請求項１０】
タッチスクリーンと、
プロセッサと、を備え、
該プロセッサは、
遠隔の高周波識別（ＲＦＩＤ）タグにおける１または複数のタッチ動作を検出し、
１または複数のタッチ動作が検出された場合に、前記遠隔のＲＦＩＤタグから送信された信号により前記遠隔のＲＦＩＤタグから情報を受信し、
前記タッチスクリーン上の入力操作を識別し、
前記タッチスクリーン上の入力操作により前記情報がユーザにより受理されたことを認識した場合に、前記情報にアクセスし、
前記情報の受信から所定時間内に、前記タッチスクリーン上の入力操作が識別されなかった場合に、前記情報を削除することを特徴とする装置。
【請求項１１】
前記遠隔のＲＦＩＤタグは、パッシブＲＦＩＤタグ、またはアクティブＲＦＩＤタグのいずれか一方を含むことを特徴とする請求項１０に記載の装置。
【請求項１２】
前記情報を受信するＲＦＩＤ受信器を更に備えることを特徴とする請求項１０に記載の装置。
【請求項１３】
前記プロセッサは、更に、前記情報において提供されるリンク先のデータに対する要求を送信し、前記データを受信するように構成されていることを特徴とする請求項１０に記載の装置。
【請求項１４】
前記プロセッサは、更に、前記データを受信するのと引き換えに口座に送金するように構成されていることを特徴とする請求項１３に記載の装置。
【請求項１５】
前記プロセッサは、更に、割引クーポンを受信するように構成されていることを特徴とする請求項１３に記載の装置。
【請求項１６】
前記プロセッサは、更に、前記タッチスクリーンにおける前記入力操作に基づいて、前記情報を復号化するように構成されていることを特徴とする請求項１０に記載の装置。
【請求項１７】
ディスプレイと、
プロセッサと、を備える装置であって、
前記プロセッサは、前記装置と遠隔の装置との間の通信リンクを介して受信された信号に基づいて、該遠隔の装置の遠隔の入力面における１または複数のタッチ動作による第１の設定を取得し、
前記信号を介して１または複数のタッチ動作による前記第１の設定に関連付けられた情報を受信し、
前記ディスプレイにおける入力操作を検出し、
前記情報が、前記入力操作に基づいてコンテンツを取得するのに利用される情報か否かを判定し、
前記情報の受信から所定時間内に前記入力操作が検出されなかった場合に、前記情報を削除するように構成されていることを特徴とする装置。
【請求項１８】
前記遠隔の装置は、パッシブ高周波識別（ＲＦＩＤ）タグを備えることを特徴とする請求項１７に記載の装置。
【請求項１９】
前記遠隔の入力面は、タッチスクリーンの面を含むことを特徴とする請求項１７に記載の装置。
【請求項２０】
前記情報は、コンテンツプロバイダのデータへのリンクを含むことを特徴とする請求項１７に記載の装置。
【請求項２１】
遠隔の装置から送信され、該遠隔の装置が備える遠隔のディスプレイにおけるグラフィック・オブジェクトに関連付けられた情報を受信する手段と、
ローカルディスプレイにおける入力操作を検出する手段と、
前記入力操作に基づいて情報を復号化する手段と、
前記情報を復号化する手段が所定の時間内に前記情報を復号化できなかった場合に、前記情報を削除する手段と、
ローカルディスプレイにおける第２の入力操作を検出する手段と、
前記情報の受信から所定時間内に前記第２の入力操作が検出されなかった場合に、前記情報を削除する手段と
を備えることを特徴とする装置。
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
グラフィック・オブジェクトに対する１または複数のタッチ動作による第１の設定を検出する工程と、
タッチスクリーンを含む装置に対して、前記グラフィック・オブジェクトに関連付けられた情報を送信する工程と、
前記装置にて前記情報を受信する工程と、
前記タッチスクリーンにおける１または複数のタッチ動作による第２の設定を受け付ける工程と、
前記１または複数のタッチ動作による第２の設定を用いて、前記情報がユーザによって受理されたか否かを判定する工程と、
前記１または複数のタッチ動作による第２の設定が、前記情報の受信から所定時間内に受け付けられなかった場合に、前記情報を削除する工程と
を備えることを特徴とする方法。
【請求項２】
１または複数のタッチ動作による第１の設定を検出する工程は、該１または複数のタッチ動作による第１の設定によって形成される入力操作を識別する工程を備え、
情報を送信する工程は、
前記入力操作に基づいて前記情報を符号化する工程と、
前記装置に対して物理的な無線通信リンクにより前記グラフィック・オブジェクトに関連付けられた情報を送信する工程と
を備えることを特徴とする請求項１に記載の方法。
【請求項３】
入力操作を識別する工程は、当該入力操作に関連付けられたパラメータを測定する工程を備えることを特徴とする請求項２に記載の方法。
【請求項４】
パラメータを測定する工程は、
前記入力操作が完了するまでの所要時間を測定する工程と、
各タッチ動作の指の大きさを測定する工程と、
指の動作速度を測定する工程と、
ディスプレイの静電容量の変化を測定する工程と、
各タッチ動作の指の形状を判定する工程と、
指と指との間の距離を測定する工程と、
指紋を判定する工程と、
指の３次元画像を取得する工程のうちの少なくとも１つを含むことを特徴とする請求項３に記載の方法。
【請求項５】
入力操作を識別する工程は、
１本の指による入力操作、２本の指による入力操作、連続的な入力操作、不連続な入力操作のうちの少なくともいずれか１つとして、あるいはタップとして、当該入力操作を識別する工程を備えることを特徴とする請求項２に記載の方法。
【請求項６】
前記情報に基づいて参照されるデータに対する要求を受信する工程と、
前記要求に応答して前記データを送信する工程と、
前記データの送信に対する支払いを、口座にて受け取る工程と
を更に備えることを特徴とする請求項１に記載の方法。
【請求項７】
ディスプレイと、
プロセッサと、を備える装置であって、
前記プロセッサは、前記装置と遠隔の装置との間の通信リンクを介して受信された信号に基づいて、該遠隔の装置の遠隔の入力面における１または複数のタッチ動作による第１の設定を取得し、
前記信号を介して１または複数のタッチ動作による前記第１の設定に関連付けられた情報を受信し、
前記ディスプレイにおける入力操作を検出し、
前記情報が、前記入力操作に基づいてコンテンツを取得するのに利用される情報か否かを判定し、
前記情報の受信から所定時間内に前記入力操作が検出されなかった場合に、前記情報を削除することを特徴とする装置。
【請求項８】
前記遠隔の入力面は、タッチスクリーンの面を含むことを特徴とする請求項７に記載の装置。
【請求項９】
前記情報は、コンテンツプロバイダのデータへのリンクを含むことを特徴とする請求項７に記載の装置。
【請求項１０】
遠隔の装置から送信され、該遠隔の装置が備える遠隔のディスプレイにおけるグラフィック・オブジェクトに関連付けられた情報を受信する手段と、
ローカルディスプレイにおける入力操作を検出する手段と、
前記入力操作に基づいて情報を復号化する手段と、
前記情報を復号化する手段が所定の時間内に前記情報を復号化できなかった場合に、前記情報を削除する手段と、
ローカルディスプレイにおける第２の入力操作を検出する手段と、
前記情報の受信から所定時間内に前記第２の入力操作が検出されなかった場合に、前記情報を削除する手段と
を備えることを特徴とする装置。
【請求項１１】
前記入力操作に基づいて前記送信された情報を復号化する工程を更に備えることを特徴とする請求項２に記載の方法。
【国際調査報告】
2010525441.tif 000017
2010525441.tif 000018
2010525441.tif 000019